(57)【要約】      （修正有）【課題】重量表示が正確でなく、しかも変動しやすいという問題を解決することができる重量を静的に表示可能なキャリーバッグを提供する。【解決手段】本考案の重量を静的に表示可能なキャリーバッグは、案内軸受４０及びスリーブ５０が設けられることで、ブラケット固定軸３０が周側方向にずれることなく、しかも計量センサ６０は案内軸受４０に取付けられ、かつ計量センサ６０はブラケット固定軸３０の上端面に固定して接続されることで、計量センサ６０は箱体１０の重量を精確に感知するため、箱体１０が回転したときでも、重量表示数値に変化はなく、静的表示が実現し、使用者の使用上での利便性をもたらす。【選択図】図３
0003207767.tif 000002
【実用新案登録請求の範囲】
【請求項１】
箱体と、複数のキャスターとを備えており、前記複数のキャスターは箱体の底部に取付けられている重量を静的に表示可能なキャリーバッグであって、前記箱体はインナーシェルと、インナーシェルの底部に設けられているキャスター台座とを備えており、前記キャスターはタイヤブラケットと、タイヤブラケットに設けられているタイヤとを含み、タイヤブラケットはブラケット固定軸を介してキャスター台座に回動可能に取付けられており、前記キャスター台座には案内軸受が固定されており、前記案内軸受はブラケット固定軸の外に嵌設されるとともに、案内軸受の内壁とブラケット固定軸の外壁との間にはスリーブが介在されており、前記案内軸受には計量センサが固定して取付けられており、計量センサはブラケット固定軸の上端面に固定して接続されており、しかも、計量センサには変形規制板が設けられており、前記変形規制板は案内軸受に固定して接続されており、変形規制板はインナーシェルの底部よりも低く、計量センサは変形規制板と案内軸受との間に挟持固定されていることを特徴とする重量を静的に表示可能なキャリーバッグ。
【考案の詳細な説明】
【技術分野】
【０００１】
本考案はキャリーバッグに関し、とりわけ重量を静的に表示可能なキャリーバッグに関する。
【背景技術】
【０００２】
周知のように、キャリーバッグは衣類などを携行して移動するのに便利であって、旅行又は出張等に出かけるとき、キャリーバッグはなくてはならない物品であり、すでに広く人々に使用されている。
【考案の概要】
【考案が解決しようとする課題】
【０００３】
しかしながら、従来のキャリーバッグは箱体と、伸縮ハンドルと、キャスター等を備えているが、その機能は単一的であって、つまりもし旅行又は出張に出かけるとき、飛行機に搭乗する場合には、搭乗手続きに際して携行してきたキャリーバッグの重量を計量して、その後もし重量超過分があれば超過分により別途料金を計算する訳であるが、荷物を整理するときに、必要性に応じて物品を詰め込むことが多く、その重量にまで注意が回らないか、又は秤が見つからず、単に感覚に頼って物品を詰め込むことになり、これでは空港に到着してから重量超過により過分な料金を支払わなくてはならなくなり、不要な数々の手間が増えてしまうことになる。
【０００４】
現代社会の電子化レベルの向上に伴って、従来のキャリーバッグは現代の消費者のニーズを満たすには遥に及ばないことから、キャリーバッグ上に自重計量モジュールを設置するものが提案されており、自重計量モジュールを設置することで、使用者がキャリーバッグの重量を直観的に把握することができるようになってはいるが、自重計量モジュールの取付位置が不適切で、重量表示に大きな誤差がある上、箱体が回転すると計量表示に変化が生じやすいため、使用者にとって使用上の不便を来していた。
【０００５】
これに鑑み、本考案では従来技術における欠陥に対して、従来のキャリーバッグにおける重量表示が正確でなく、しかも変動しやすいという問題を解決することができる重量を静的に表示可能なキャリーバッグを提供することを主な目的としている。
【課題を解決するための手段】
【０００６】
上記目的を実現するために、本考案では以下の技術思想を採用する。
【０００７】
箱体と、複数のキャスターとを備えており、複数のキャスターは箱体の底部に取付けられている重量を静的に表示可能なキャリーバッグであって、箱体はインナーシェルと、インナーシェルの底部に設けられているキャスター台座とを備えており、キャスターはタイヤブラケットと、タイヤブラケットに設けられているタイヤとを含み、タイヤブラケットはブラケット固定軸を介してキャスター台座に回動可能に取付けられており、キャスター台座には案内軸受が固定されており、案内軸受はブラケット固定軸の外に嵌設されるとともに、案内軸受の内壁とブラケット固定軸の外壁との間にはスリーブが介在されており、案内軸受には計量センサが固定して取付けられており、計量センサはブラケット固定軸の上端面に固定して接続されており、しかも、計量センサには変形規制板が設けられており、変形規制板は案内軸受に固定して接続されており、変形規制板はインナーシェルの底部よりも低く、計量センサは変形規制板と案内軸受との間に挟持固定されている。
【０００８】
好ましい手法として、前記計量センサの両端には第一固定穴が設けられており、案内軸受には二つの第二固定穴が設けられており、第一固定穴と第二固定穴とは互いに正対するとともに固定部材により固定して接続されている。
【０００９】
好ましい手法として、前記計量センサには第三固定穴が設けられており、リベットが第三固定穴を貫通してブラケット固定軸の上端面にかしめ固定されている。
【００１０】
好ましい手法として、前記案内軸受の表面には凹部が設けられており、ブラケット固定軸の上端側面は係止溝を有し、ストッパは係止溝に係止し、ストッパは凹部内に位置するとともにスリーブの上端面よりも低くなっている。
【００１１】
好ましい手法として、前記箱体の底部における各々の角部には前記キャスターが設けられており、各々のキャスターに対して前記案内軸受、前記スリーブ、前記計量センサ及び変形規制板がいずれも設けられている。
【００１２】
好ましい手法として、前記箱体の頂部の一方側には伸縮ハンドル取付部が設けられており、伸縮ハンドル取付部の表面には表示器が設けられており、表示器は接続線を介して計量センサに接続されている。
【００１３】
本考案と従来技術とを比較するに顕著な長所と有益な効果とを備えており、具体的には、上記技術思想から以下の通り理解できる。
【００１４】
案内軸受及びスリーブが設けられることで、ブラケット固定軸が周側方向にずれることなく、しかも計量センサは案内軸受に取付けられ、かつ計量センサはブラケット固定軸の上端面に固定して接続されることで、計量センサは箱体の重量を精確に感知するため、箱体が回転したときでも、重量表示数値に変化はなく、静的表示が実現するので、使用者の使用上での利便性をもたらす。
【００１５】
本考案の構造的特徴及び効果を明確に説明するために、以下では図面及び具体的な実施例を合わせて、本考案を詳細に説明する。
【図面の簡単な説明】
【００１６】
【図１】本考案の好ましい実施例の組立て立体概略図である。
【図２】本考案の好ましい実施例の分解図である。
【図３】本考案の好ましい実施例の一部拡大概略図である。
【図４】本考案の好ましい実施例の一部断面図である。
【考案を実施するための形態】
【００１７】
図１ないし図４を参照する。これらには本考案の好ましい実施例の具体的な構造を示しており、箱体１０と、複数のキャスター２０とを備える。
【００１８】
複数のキャスター２０は箱体１０の底部に取付けられており、箱体１０はインナーシェル１１と、インナーシェル１１の底部に設けられているキャスター台座１２とを備えており、キャスター２０はタイヤブラケット２１と、タイヤブラケット２１に設けられているタイヤとを含み、タイヤブラケット２１はブラケット固定軸３０を介してキャスター台座１２に回動可能に取付けられており、キャスター台座１２には案内軸受４０が固定されており、案内軸受４０はブラケット固定軸３０の外に嵌設されるとともに、案内軸受４０の内壁とブラケット固定軸３０の外壁との間にはスリーブ５０が介在されている。本実施例において、前記案内軸受４０の表面には凹部４１が設けられており、ブラケット固定軸３０の上端側面は係止溝３１を有し、ストッパ８０は係止溝３１に係止し、ストッパ８０は凹部４１内に位置するとともにスリーブ５０の上端面よりも低くなっている。
【００１９】
案内軸受４０には計量センサ６０が固定して取付けられており、計量センサ６０はブラケット固定軸３０の上端面に固定して接続されており、しかも、計量センサ６０には変形規制板７０が設けられており、変形規制板７０は案内軸受４０に固定して接続されており、変形規制板７０はインナーシェル１１の底部よりも低く、計量センサ６０は変形規制板７０と案内軸受４０との間に挟持固定されている。本実施例において、前記計量センサ６０の両端には第一固定穴６１が設けられており、案内軸受４０には二つの第二固定穴４２が設けられており、第一固定穴６１と第二固定穴４２とは互いに正対するとともに固定部材（図示せず）により固定して接続されており、しかも、前記計量センサ６０には第三固定穴６２が設けられており、リベット（図示せず）が第三固定穴６２を貫通してブラケット固定軸３０の上端面にかしめ固定されている。
【００２０】
そして、前記箱体１０の底部における各々の角部には前記キャスター２０が設けられており、各々のキャスター２０に対して前記案内軸受４０、前記スリーブ５０、前記計量センサ６０及び変形規制板７０がいずれも設けられている。
【００２１】
また、前記箱体１０の頂部の一方側には伸縮ハンドル取付部１３が設けられており、伸縮ハンドル取付部１３の表面には表示器９０が設けられており、表示器９０は接続線（図示せず）を介して計量センサ６０に接続されている。
【００２２】
使用に際しては、計量センサ６０が接続線を介して表示器９０に接続されていることから、箱体１０の重量が計量センサ６０に集中するように作用して、計量センサ６０が取得したデータを接続線を介して表示器９０に送信するとともに、表示器９０上に表示することになる。
【００２３】
本考案の設計における重点は次のとおりである。案内軸受及びスリーブが設けられることで、ブラケット固定軸が周側方向にずれることなく、しかも計量センサは案内軸受に取付けられ、かつ計量センサはブラケット固定軸の上端面に固定して接続されることで、計量センサは箱体の重量を精確に感知するため、箱体が回転したときでも、重量表示数値に変化はなく、静的表示が実現するので、使用者の使用上での利便性をもたらす。
【００２４】
上記したものは、本考案の好ましい実施例に過ぎず、本考案の技術範囲に対して何らかの制限を加えるものではないため、本考案の技術の実質に基づいて上記実施例に行う何らかの微細な修正、同等の変化及び付加は、いずれも本考案の技術思想の範囲に含まれるものである。
【符号の説明】
【００２５】
１０    箱体
１１    インナーシェル
１２    キャスター台座
１３    伸縮ハンドル取付部
２０    キャスター
２１    タイヤブラケット
２２    タイヤ
３０    ブラケット固定軸
３１    係止溝
４０    案内軸受
４１    凹部
４２    第二固定穴
５０    スリーブ
６０    計量センサ
６１    第一固定穴
６２    第三固定穴
７０    変形規制板
８０    ストッパ
９０    表示器
【図１】
0003207767.tif 000003
【図２】
0003207767.tif 000004
【図３】
0003207767.tif 000005
【図４】
0003207767.tif 000006